(57)【要約】      （修正有）【課題】携帯扇風機、家庭用扇風機、工場用大型扇風機に、誰にでも簡単に装着、脱着出来る、携帯容器装着式クーラーを提供する。【解決手段】外周パイプＡをポリエステル等の該当材で断面を円形型、楕円形型、蒲鉾型の適応品で外周を円形、八角形、六角形、四角形等の形状のパイプで該当物の外周の大きさに合わせ、外周パイプＡの正面外径から内径側へ１０％〜９０％拠った部分より上部Ｍ及び下部Ｎに外周パイプＡより６０％〜９０％細い、円形、楕円形、菱形パイプ等の該当する扇型内部保冷剤流動用パイプＢを扇型に加工し、加工したパイプに対し断面が小判型又は長方形の流動用パイプＤ、補強プレートを９０度に組み合わせ、扇状の網目模様に構成加工し、ビニール等の糸で裏側の吸い込み側を巾着式ネットＥに加工し、巾着式ネットＥの口を固定Ｇ及び大小径絞り用紐と紐末端部止めＪとで加工した巾着式ネットＥの口を扇風機に被せる。【選択図】図２
2016217686.tif 000002
【特許請求の範囲】
【請求項１】
ポリエステル、ポリエチレン、ポリプロピレン、ポリスチレン等で断面が１５ｍｍ〜１５０ｍｍ迄の大きさの円形型、楕円形型、蒲鉾型のパイプで外周を円形、八角形、六角形、四角形等で該当する外周の大きさに合わせ加工し、パイプの上部及び下部の上部から下部及び上部の下部方向に外周パイプより６０％〜９０％細い、円形、楕円形、菱形パイプ等の該当パイプを外周パイプの正面外径から内径側へ１０％〜９０％の部分より扇型に加工し扇方に加工したパイプに対し９０度に断面が小判型又は長方形等のプレートを扇状に加工し、立てパイプと横プレートで風供給側正面を網目模様に構成加工し、ビニール、ビニロン、ポリエステル、ナイロン、フロロカーボン、ケプラー等の何れかの糸で裏側の空気吸い込み側に巾着式ネットに加工したネットの片方の口を外周パイプの外径部分に接着剤もしくは熱着加工し、もう片方のネット口に紐通し部を設け通し部に巾着ネットと同じ素材で作られた紐を通し更に紐を仮止めピースに通した紐の末端部を紐末端部止めで加工した状態の巾着式ネット口から扇風機に被せ巾着式ネット口の紐を引いて口を窄め、移動式仮止めピースで止めれば、取り付けれる様に構成加工し細い扇型パイプを立にした状態で外周パイプ部分と扇型パイプ部分を含め内部に約７０％〜８０％迄保冷剤を入れ、冷蔵庫の冷凍室で凍らせて、携帯扇風機、家庭用扇風機、工業扇風機に装着出来る携帯容器装着式クーラー
【請求項２】
容器の空気吸い込み側に外周パイプの外径部分より網状の巾着式ネットを設けた巾着ネット口部に紐通部分を設け、通した紐の中間部分に移動式仮止めピースを設け末端を紐末端部止めで固定し紐を通した状態で口を広げたり窄めたりが簡単に出来、窄めた時に口が広がらない様に紐を通した移動式仮止めピースで仮固定出きる様に構成し作られている携帯容器装着式クーラー
【請求項３】
携帯容器装着式クーラーを正面から見た状態は外周パイプの外径から内径側へ１０％〜９０％拠った箇所より外周パイプより６０％〜８０％細い、円形、楕円形、菱形等の扇型該当パイプに対し、９０度に断面が小判型又は長方形のいずれかの扇型板とで四角、立長方形、横長方形等の網目状に構成されている携帯容器装着式クーラー
【請求項４】
外周パイプより６０％〜８０％細い、円形、楕円形、菱形パイプ等の該当パイプで扇型に加工したパイプと外周パイプの中間部に有する中間流動性仕切り弁は容器内の流動性保冷剤内容物を自由に流動する様に作られている携帯容器装着式クーラー
【請求項５】
外周パイプより細い扇型の円形、楕円形、菱形等の保冷剤流動用パイプ部分と小判型又は長方形の扇型板とで構成された部分を側面から見た形状が扇型に加工されている携帯容器装着式クーラー
【請求項６】
外周パイプの中の流動性内容物が容易に流動出来る中間流動性仕切り弁を中間部に設けられている携帯容器装着式クーラー
【請求項７】
ビニール、ビニロン、ポリエステル、ナイロン、フロロカーボン、ケプラー等の何れかの糸で作られた巾着式ネット口の片方を外周パイプの外径装着箇所に断面が外径内径蒲鉾型、外径平型内径蒲鉾型等の外形リングを使用して接着されている携帯容器装着式クーラー
【請求項８】
容器内容物が水、増粘剤の混合物又は水、グリセリン等で構成加工された流動性混合物による保冷剤が入っている携帯容器装着式クーラー
【発明の詳細な説明】
【技術分野】
【０００１】本発明は野外、街中と問わず何処でも必要に応じた場所で携帯扇風機、家庭用扇風機、工場用大型扇風機にも風の排出側に冷蔵庫の冷凍室で凍らせた容器を装着する事に拠って、排出される風が冷却される装着、脱着式容器で、誰にでも簡単に装着、脱着出来尚且つ容器内は水、増粘剤、グリセリン等の混合物で作られているので何度でも再利用出来る容器である。
【背景技術】
【０００２】従来の扇風機を利用した物は風の排出側に霧状にした水を扇風機の前に散布し風に拠って人々に水が付着し揮発現象に拠って冷却効果を利用している物、容器型は持ち運びクーラーボックス用の容器で氷の役割的な物で内部に保冷剤を入れた容器型の物、内部の保冷剤をＰＶＣで外部を作られた物のみで有る。【０００３】しかしながら、扇風機のフアンを囲う柵に装着する容器は無い、容器内の保冷剤は解凍と共に流動し更に風通しが良いように容器中央部分をラジエター状の網目にし、冷凍された保冷剤が上から下に流動する中央部分に風が通る事で風が冷やされる携帯容器装着式クーラーは何処でも冷蔵庫の冷凍室で凍らした物を手軽に持ち運び出来るので炎天下の野外レジャー、街中に持って行く事に拠って、高齢者も幼児等も熱中症に罹るリスクが軽減される。
【先行技術文献】
【０００４】
【特許文献１】特開２０１４−０１５２４３
【０００５】
【非特許文献１】無
【発明の概要】
【発明が解決しようとする課題】
【０００６】本発明は従来氷をタオル、布等で巻き暑い部分に当て冷やしていたが、氷が水の状態に成るとタオル、布等から水が垂れ落ち服を濡らす、時には見知らぬ人に水が掛かり口論の原因にも成っている。
更に人混みの中、炎天下の野外活動、レジャーで暑さに因る原因で熱中症に罹る人が多く、時には生命を亡くす方も少なくない、熱中症による原因を少しでも無くす様に何処でも手軽に誰にも迷惑を掛けない携帯容器装着式クーラーである。
【課題を解決する為の手段】
【０００７】外周パイプを断面が１５ｍｍ〜１５０ｍｍ迄の該当する太さの円形型、楕円形型、蒲鉾型のポリエステル、ポリエチレン、ポリプロピレン、ポリスチレン等のパイプで外周を円形、八角形、六角形、四角形等の形状のパイプで該当する外周の大きさに加工し、パイプの上部及び下部の上部から下部及び上部の下部に外周パイプより６０％〜９０％細い、円形、楕円形、菱形パイプ等の該当パイプを扇型に加工し、加工したパイプに対し９０度で断面が小判形又は長方形の素材と組み合わせ網目模様に構成加工し、ビニール、ビニロン、ポリエステル、ナイロン、フロロカーボン、ケプラー等の何れかの糸で裏側の吸い込み側に巾着式ネットを加工し、巾着式ネット口に紐通し部を設け、紐を通し巾着式ネット口から扇風機に被せ巾着式ネット口に通して有る紐を引き、口を窄め移動式仮止めピースで止めれば、装着出来る様に加工し、細い扇型パイプを立にした状態で外周部分と扇型パイプ部分を含め内部に約７０％〜８０％迄保冷剤を入れ、冷蔵庫の冷凍室で凍らせ、携帯扇風機、家庭用扇風機、工業扇風機等の風の排出部の柵に約３０％〜２０％の空間部分を下にして装着しスイッチを入れプロペラを回せば供給側の風は冷たくなる、数時間後に容器の保冷剤が温まると除に保冷剤は下に流れ落ち空間部分が上に成るので内部の保冷剤は凍った状態で無い事が一目両全に解り凍った物と取替え、取り外した物を冷凍庫で凍らせて再度使う事が出来る。
【発明の効果】
【０００８】様々な材料を使用し思考錯誤し試作品を凍らせ使用してみた。
扇風機の送風側の柵に携帯容器装着式クーラーを取り付けプロペラを回転させると携帯容器装着式クーラーの中央部の網目部分を通過してきた風は冷たくクーラー効果が有る事を確認、更に外周バイプ内の保冷剤を２０％〜３０％の空間部分を作った事によって溶けた保冷剤が下部に流れ落ち冷風も保冷剤が解凍されるまで保たれ完全解凍も解凍した保冷剤が下へ流れ落ち上部に空間が出来理解出来た。
【図面の簡単な説明】
【０００９】
【図１】正面図
【図２】側面図
【図３】背面図
【図４】断面図
【図５】正面図
【図６】断面図
【発明を実施する為の形態】
【００１０】図１の正面図Ａ部分の断面を円形型、楕円形型、蒲鉾型のパイプで外周を円形、八角形、六角形、四角形等の形状のパイプで該当物の外周の大きさに合わせ加工し、外周パイプの正面に上部及び下部と下部及び上部に外周パイプより６０％〜８０％細い、円形、楕円形、菱形パイプ等の該当パイプを扇型に加工し加工したパイプに対し９０度で断面が小判形又は長方形の素材と組み合わせ扇状の網目模様に外周パイプと共に構成加工し、ビニール、ビニロン、ポリエステル、ナイロン、フロロカーボン、ケプラー等の何れかの糸で裏側の吸い込み側へ加工した巾着式ネットの片方を外周パイプに被せ接着剤もしくは熱着加工し、もう一方の口元を紐通し部を設け、紐を口元から移動式仮止めピースを通し末端を紐末端部止めで構成した巾着式ネット口を扇風機に被せ巾着ネット口の紐を引き、口を窄め移動式仮止めピースで止めれば装着出来る様に加工した。
【実施例１】
【０００１１】図１の正面図Ａ外周パイプをポリエステル、ポリエチレン、ポリプロピレン、ポリスチレン等の該当材で断面を円形型、楕円形型、蒲鉾型の適応品で外周を円形、八角形、六角形、四角形等の形状のパイプで該当物の外周の大きさに合わせ中間内部にＣ中間流動性仕切り弁を設け外周パイプの正面外径から内径側へ１０％〜９０％拠った部分よりＭ上部及び下部とＮ下部及び上部にＡ外周パイプより６０％〜９０％細い、円形、楕円形、菱形パイプ等の該当するＢ扇型内部保冷剤流動用パイプを扇型に加工し加工したパイプに対し断面が小判型又は長方形のＤ流動用パイプ、補強プレートを９０度に組み合わせ扇状の網目模様に構成加工し、ビニール、ビニロン、ポリエステル、ナイロン、フロロカーボン、ケプラー等の何れかの糸で裏側の吸い込み側をＥ巾着式ネットに加工し、Ｅ巾着式ネットの口をＧ固定及び大小径絞り用紐とＪ紐末端部止めとで加工したＥ巾着式ネットの口を扇風機に被せ巾着ネット口の紐を引き、口を窄めＨ移動式仮止めピースで止めれば装着でき、Ｈ移動式仮止めピースをＪ紐末端部止箇所へ戻し口を広げれば脱着出来る様に加工する。
【実施例２】
【００１２】適応物の外周の大きさに合わせ加工したＡ外周パイプの内部にＣ中間仕切り弁を設け外周パイプの正面外径から内径側へ１０％〜９０％拠った部分よりＭ上部及び下部とＮ下部及び上部にＡ外周パイプより６０％〜９０％細い、円形、楕円形、菱形パイプ等の該当するＢ扇型内部保冷剤流動用パイプを扇型に加工し加工したパイプに対し断面が小判型又は長方形のＤ流動用パイプ、補強プレートを９０度で網目模様に構成加工し、ビニール、ビニロン、ポリエステル、ナイロン、フロロカーボン、ケプラー等の何れかの糸で裏面の空気吸い込み側に加工したＥ巾着式ネットの片方を外周パイプの外径に被せて接着剤又は熱着加工し、もう片方のＥ巾着式ネット口をＧ固定及び大小径絞り用紐とＪ紐末端部止で加工した容器部分Ａ外周パイプのＭ上部及び下部のＭ部を上にして立てた状態で７０％〜８０％まで保冷剤を入れ、冷蔵庫の冷凍室で凍らせ扇風機に装着すれば携帯容器装着式クーラーになる。
【数１】
【表１】
【産業上の利用可能性】
【００１３】近年の地球温暖化のせいか春先から気温が高い傾向に有る、６月の中頃に成ると熱中症に成る人達が多く時には脱水状態が酷く命を亡くす人も少なくない熱中症の処置は体を冷やし、水を与える等とよく耳にする事が多い熱中症に成る人の殆どが炎天下の散歩中、野外行楽中と外で活動している時に成っているのが大半以上であるが時には高齢者が経済問題でクーラーを掛けれず家の中で熱中症に成っている、本発明品は野外でも家の中でも何処でも持ち運びが出来、野外行楽に出かける時に凍った物をクーラーボックスに入れて行けばジュース類を冷やす事が出来更に携帯扇風機に取り付けた物が温まった時に交換すれば携帯クーラーに成り、更に家庭の冷蔵庫は３６５日夜昼関係なくスイッチが入った状態なので、携帯容器装着式クーラーを冷凍庫に入れて凍らせる費用は微量で、更に何度でも凍らせて再利用する事が出来るので、利用者が多く成ると思われる。
【符号の説明】
【００１４】Ａ  外周パイプ
Ｂ  扇型内部保冷剤流動用パイプ
Ｃ  中間流動性仕切り弁
Ｄ  流動用パイプ、補強プレート
Ｅ  巾着式ネット
Ｆ  大小径自由式巾着ネット口
Ｇ  固定及び大小径絞り用紐
Ｈ  移動式仮止めピース
Ｊ  紐末端部止め
Ｋ  断面部分記号
Ｌ  断面部分記号
Ｍ  上部及び下部
Ｎ  下部及び上部
Ｒ  外径内径蒲鉾型外形リング
Ｓ  外径平板型内径蒲鉾外形リング【００１５】
【図１】
2016217686.tif 000003
【図２】
2016217686.tif 000004
【図３】
2016217686.tif 000005
【図４】
2016217686.tif 000006
【図５】
2016217686.tif 000007
【図６】
2016217686.tif 000008